【事件の表示】
　特願２００４−１７５００４「写真プリント提供装置」拒絶査定不服審判事件〔平成１７年　９月　８日出願公開、特開２００５−２４２２８５〕について、次のとおり審決する。
【結　論】
　本件審判の請求は、成り立たない。
【理　由】
１．手続の経緯 
　本願は、平成１６年２月２６日に出願された特願２００４−５１６８３号の一部を平成１６年６月１４日に新たな特許出願としたものであって、平成１７年９月２０日付けで拒絶査定がなされ、これに対して平成１７年１０月２４日に審判請求がなされるとともに、平成１８年１月１３日に早期審理の申請がなされたものである。
　
２．本願発明
　本願の請求項１に係る発明は、平成１６年９月１０日付けの手続補正によって補正された明細書及び図面の記載からみて、特許請求の範囲の請求項１に記載された事項により特定される次のとおりのものと認める。（以下「本願発明」という。）
「使用者を含む被写体を撮影するカメラを有する撮影プレイ提供装置と、上記撮影プレイ提供装置に臨む撮影用の空間とを含む撮影プレイエリアと、
　使用者に対して上記カメラで撮影された撮影画像を表示する第１表示手段に表示された撮影画像に対して落書き画像を入力させる第１編集プレイ提供装置と、上記第１編集プレイ提供装置に臨む編集作業用の空間とを含む第１編集プレイエリアと、
　使用者に対して上記カメラで撮影された撮影画像を表示する第２表示手段に表示された撮影画像に対して落書き画像を入力させる第２編集プレイ提供装置と、上記第２編集プレイ提供装置に臨む編集作業用の空間とを含む第２編集プレイエリアと、
　上記撮影プレイエリアで使用者に撮影を実行させる撮影処理と、上記各編集プレイエリアで使用者に落書き入力を実行させる編集処理とを制御する制御手段と、上記撮影画像と上記落書き画像との合成画像を所定の印刷媒体に印刷する印刷手段と、
　使用者が上記印刷手段で印刷された印刷媒体を取り出すための取出口とを備え、
　上記制御手段は、上記撮影プレイ提供装置のカメラで撮影された撮影画像を、第１編集プレイ提供装置と、第２編集プレイ提供装置のいずれかに転送するとともに、上記第１編集プレイエリアで使用者に落書き入力を実行させる第１編集処理と、上記第２編集プレイエリアで使用者に落書き入力を実行させる第２編集処理とをそれぞれ独立して並行に処理し、上記第１編集処理で作成された合成画像および第２編集処理で作成された合成画像をそれぞれ印刷手段に転送するよう制御し、
　上記印刷手段は、上記第１編集処理で作成された合成画像が転送されたときに当該合成画像を印刷媒体に印刷し、第２編集処理で作成された合成画像が転送されたときに当該合成画像を印刷媒体に印刷し、
　上記第１編集プレイエリアと上記第２編集プレイエリアは、上記撮影プレイエリアを挟むよう一列に配置されて本装置全体の設置領域が長方形状とされるとともに、上記第１編集プレイエリアが、上記撮影プレイ提供装置の背面側に位置するように、上記第１編集プレイ提供装置が配置され、上記第２編集プレイエリアが、上記撮影プレイエリアのバック側に位置するように、上記第２編集プレイ提供装置が配置され、
　使用者が上記撮影用の空間に出入り可能とするために、上記撮影プレイ提供装置に向かって左右いずれか一方の側面が開放可能に構成され、上記第１編集プレイエリアと第２編集プレイエリアは、それぞれ撮影筐体に向って左右いずれか一方の側面のうち上記開放可能に構成された側面と同じ側面に、使用者を編集作業用の空間に出入り可能とするために開放可能に構成され、
　上記取出口は、使用者が、上記第１編集処理で作成された合成画像が印刷手段で印刷された印刷媒体、または、第２編集処理で作成された合成画像が印刷手段で印刷された印刷媒体を、上記開放された側面側と同一側である、上記撮影プレイ提供装置、上記第１編集プレイ提供装置、および上記第２編集プレイ提供装置の外側において取り出し可能な位置に配置されていることを特徴とする写真プリント提供装置。」
　
３．引用刊行物に記載された発明
　本願のもとの特許出願である特願２００４−５１６８３号の出願日前に頒布され、原査定の拒絶の理由に引用された特開２００２−２６２２８５号公報（以下「引用刊行物１」という。）には、「画像印刷装置および方法、並びにプログラム」の発明に関して、以下の事項が記載されている。
＜記載事項１＞
「（５７）【要約】
【課題】  ユーザの回転率を向上させるようにする。
【解決手段】  ユーザは、撮影用モニタ１４に表示される画面を確認しながら、撮影装置３１を駆動し、自らの画像を撮影する。撮影が終了したとき、編集入力用モニタ１８の前方へ移動することを促す画面が撮影用モニタ１４に表示されるため、ユーザはそれに従って移動する。撮影待ちをしていた他のユーザは、撮影を終えたユーザが編集用モニタの前に移動するのに併せて、撮影用モニタ１４の前方の空間に入場し、撮影を開始する。」（第１ページ左欄第２〜同右欄第１１行）
＜記載事項２＞
「【請求項１】 ユーザーに、撮影、および撮影した画像の編集を行わせ、編集済みの前記画像が印刷されたシールシートを前記ユーザに提供する画像印刷装置において、 被写体を撮影する撮影手段と、前記撮影手段により撮影された前記被写体の画像を表示する第１の表示手段と、編集対象の画像として前記被写体の画像を表示し、編集入力を受け付ける第２の表示手段と、（略）撮影終了の操作がされた場合、前記撮影手段により撮影された前記画像を、編集対象画像として前記第２の表示手段に表示させ、前記ユーザからの前記編集入力を受け付けさせるとともに、前記第２の表示手段により、前記ユーザから、前記編集入力を受け付けている間に、他のユーザーが前記撮影手段による撮影を開始した場合、前記撮影手段による前記被写体の撮影、並びに前記第２の表示手段による前記被写体の画像の表示および前記編集入力の受け付けを、並行して実行させる制御手段とを備え、１つの筐体の第１の面に前記撮影手段と前記第１の表示手段が設けられて、撮影空間を形成し、前記撮影空間とは異なる空間であり、かつ、前記筐体の前記第１の面とは異なる第２の面に前記第２の表示手段が設けられて、編集空間を形成することを特徴とする画像印刷装置。」（第１９ページ左欄第１６行〜同右欄第１２行）
＜記載事項３＞
「【請求項２】前記第２の表示手段により受け付けられた前記編集入力に基づいて、前記被写体の画像を編集する編集手段と、前記編集手段により編集された前記被写体の画像を所定の前記シールシートに印刷する印刷手段と、前記印刷手段により前記被写体の画像が印刷された前記シールシートを排出する排出手段とをさらに備えることを特徴とする請求項１に記載の画像印刷装置。」（第１９ページ右欄第１３〜２０行）
＜記載事項４＞
「【請求項３】  前記排出手段は、前記筐体の、前記第１の面および前記第２の面の何れとも異なる第３の面に配置されることを特徴とする請求項２に記載の画像印刷装置。」（第１９ページ右欄第２１〜２４行）
＜記載事項５＞
「【請求項５】  前記第２の面は、前記第１の面の背面であることを特徴とする請求項１乃至４のいずれかに記載の画像印刷装置。」（第２０ページ左欄第１〜３行）
＜記載事項６＞
「【請求項５】　（略）ユーザに、撮影、および撮影した画像の編集を行わせ、編集済みの前記画像が印刷されたシールシートを前記ユーザに提供する画像印刷装置を制御するコンピュータ」（第２６ページ左欄第２５〜同右欄第６行）
＜記載事項７＞
「【０００７】本発明はこのような状況に鑑みてなされたものであり、撮影する空間と編集する空間とを異なる位置に設けることにより、ユーザの回転率を向上させ、順番待ちの時間を短縮するとともに、編集作業の時間を、ユーザが満足するほど十分に確保するようにしたものである。」（第３ページ左欄第３９〜４４行）
＜記載事項８＞
「【００２４】第２の表示手段の数は、第１の表示手段の数より多く配置されるようにすることができる。
【００２５】例えば、図２４において、撮影装置１７１には第１の表示手段が設けられ、編集用端末１７２−１乃至１７２−３のそれぞれに第２の表示手段が設けられる。撮影装置１７１を利用して撮影が終了したユーザには、編集用端末１７２−１乃至１７２−３のうちの使用されていない編集用端末への移動が促される。
【００２６】一般的に、撮影した画像を編集する時間の方が、撮影する時間よりも長いため、編集装置を撮影装置より多く設けることにより、ユーザの回転率がより向上する。」（第４ページ左欄第２９〜４０行）
＜記載事項９＞
「【００７８】撮影装置３１の内部には、上述したCCDカメラ３２および取り込み画像表示部３３の他に、CCDカメラ制御部８６が配置されている。CCDカメラ制御部８６は、ユーザが操作パネル１５、または撮影台用操作パネル７２を操作することにより入力したCCDカメラ３２の調節要求に応じて、CCDカメラ３２のズーム率、取り込む光量などを制御する。」（第７ページ右欄第４〜１０行）
＜記載事項１０＞
「【００８１】プリンタ８９は、所定の数、および大きさに分割されたシールのシールシートを複数種類ストックし、ユーザから選択されたシールシートに、編集済みの画像を印刷する。プリンタ８９により印刷されたシールシートは、シール取り出し口２１から排出され、ユーザに提供される。」（第７ページ右欄第１９〜２４行）
＜記載事項１１＞
「【００９３】撮影するタイミングとなったとき、CPU８１は、照明装置１６−１L，１６−１R、および照明装置１６−２L，１６−２Rを制御してフラッシュを被写体に照射するとともに、その瞬間にCCDカメラ３２により取り込まれている画像を、静止画像として保存し、キープ画像記憶部８７に記憶させる。」（第８ページ右欄第６〜２１行）
＜記載事項１２＞
「【０１０４】そして、シールシートが選択されたとき、CPU８１は、ステップS１４に進み、表示プロセッサ９２の動作状態を確認し、編集空間において編集処理を行っている他のユーザがいるか否か、または、プリンタ８９の動作状態を確認し、編集済みの画像をシールシートに印刷している途中であるか否かを判定する。CPU８１は、編集処理を実行していない、かつ印刷処理を実行していないと判定した場合、ステップS１５に進み、編集処理の案内画面を撮影用モニタ１４に表示させる。」（第９ページ左欄第５０行〜同右欄第８行）
＜記載事項１３＞
「【０１０６】そして、撮影用モニタ１４に表示される案内画面に応じて、編集空間に移動したユーザは、ステップS１６において、キープ画像の編集処理を実行する。」（第９ページ右欄第２０〜２２行）
＜記載事項１４＞
「【０１１９】次に、図２０のフローチャートを参照して、図７のステップS１６において実行される画像編集処理について説明する。」（第１０ページ右欄第２２〜２４行）
＜記載事項１５＞
「【０１２０】（略）すなわち、撮影処理が終了され、編集処理が開始されるとき、CPU８１は、キープ画像記憶部８７に記憶されているキープ画像を表示プロセッサ９２に転送させる。表示プロセッサ９２は、ステップS３１で、キープ画像データが転送されてきたと判定した場合、ステップS３２に進み、それを内蔵するメモリ９２Aに記憶する。」（第１０ページ右欄第２８〜３４行）
＜記載事項１６＞
「【０１３２】図２２は、本発明を適用した画像印刷装置１の他の構成例を示す斜視図である。図１に対応する部分については、同一の符号を付してある。
【０１３３】図１の例においては、撮影用モニタ１４が筐体１１の面１１−２（正面側）に、編集用モニタ１８が面１１−６（側面側）にそれぞれ設置されるとしたが、この例においては、編集用モニタ１８が面１１−７（背面側）に設置されている。また、それに伴って、面１１−７には、編集案内用スピーカ１９、タッチペン２０、およびシール取り出し口２１がそれぞれ設置される。」（第１１ページ右欄第２７〜３７行）
＜記載事項１７＞
「【０１３６】撮影空間での撮影が終了したとき、撮影用モニタ１４には、筐体１１の背面側にある編集空間への案内画面が表示されるため、ユーザはこの案内に従って、白抜き矢印で示すように、撮影空間から出場して編集空間へ入場する。そして、編集対象画像を編集した後、ユーザは、シール取り出し口２１から排出されるシールシートを受け取り、編集空間から出場する。なお、図２３に示すように、背面パネル５１は、編集空間をも囲むように設置され、撮影空間と編集空間の境界部には、カーテン４２Aが設けられる。また、編集空間の出口部分には、カーテン４２Bが設けられ、外部から編集空間の内部が見えないようにされる。」（第１１ページ右欄第４８行〜第１２ページ左欄第９行）
＜記載事項１８＞
「【０１３８】図２４は、本発明を適用した画像印刷装置の他の例を示す図である。
【０１３９】この図においては、撮影用の端末である１つの撮影装置１７１に対して、複数の編集用端末１７２−１乃至１７２−３が設けられている。すなわち、図に示すように、撮影装置１７１の周辺（正面側）が撮影空間と、編集用端末１７２−１乃至１７２−３のそれぞれの周辺（正面側）が編集空間とされる。
【０１４０】撮影装置１７１と編集用端末１７２−１乃至１７２−３は、ケーブル１７３−１乃至１７３−３でそれぞれ接続されており、撮影装置１７１において撮影された画像データ（上述したキープ画像データ）は、撮影処理が終了されたとき、ケーブル１７３−１乃至１７３−３を介して編集用端末１７２−１乃至１７２−３に適宜転送される。当然、無線で転送されるようにしてもよい。」（第１２ページ左欄第１４〜２８行）
＜記載事項１９＞
　図２３には、筐体１１（撮影装置）に臨む撮影空間及び第２の表示手段（編集入力用モニタ１８）を有する編集用端末１７２に臨む編集空間が形成されている。
　
　また、記載事項１乃至１９から以下の点が明らかである。
（１）引用発明の「画像印刷装置」の使用形態を考慮すれば（記載事項１）、被写体にユーザーを含むこと。
（２）編集用モニタ１８は、ユーザーに対して被写体の画像を表示すること。
（３）図２２乃至２４及び記載事項８を合わせてみると、図２３において、
　ア．筐体１１には、編集用モニタ１８を備えた編集用端末１７２−１が設　　　けられること。
　イ．撮影装置３１と、該撮影装置３１に臨む撮影空間とを含むエリア（以　　　下「第１のエリア」という。）において、撮影プレイが行われること。
　ウ．編集用端末１７２−１と、該編集用端末１７２−１に臨む編集空間と　　　を含むエリア（以下「第２のエリア」という。）において、編集プレ　　　イが行われること。
　エ．編集用端末１７２−２と、該編集用端末１７２−２に臨む編集空間と　　　を含むエリア（以下「第３のエリア」という。）において、編集プレ　　　イが行われること。
　オ．編集用端末１７２−１と同様に、編集用端末１７２−２も編集用モニ　　　タ１８を備えていること。
（４）記載事項１２，１５からみて、ＣＰＵ８１は、撮影空間でユーザーに撮影を実行させる撮影処理と、編集空間でユーザーに編集入力を実行させる編集処理とを制御すること。
（５）記載事項４、５及び図２３、２４を参照すると、
　ア．排出手段、すなわちシール取り出し口２１は、筐体１１の、第１の面　　　、及び第１の面の背面である第２の面に、それぞれ隣接する第３の面　　　、すなわち図２３の筐体１１の左側面に配置していること。
　イ．撮影空間及び編集空間を囲む背景パネル５１の図面に向かって左の側　　　面は背景パネルが設けられていないので、撮影装置３１に向かって左　　　側の側面が開放可能に構成される。
　ウ．第２のエリアは、筐体１１に向かって左側の開放可能に構成された側　　　面と同じ側面と同じ側が開放可能に構成されるとともに、筐体１１に　　　向かって右側に第１のエリアから第２のエリアへの入口が設けられて　　　いる。
　エ．上記左の側面である上記「（５）」に記載した第３の面の外側におい　　　て取り出し可能な位置にシール取り出し口２１が配置されていること
　オ．印刷装置１のシール取り出し口２１が、ユーザーが、編集用端末１７　　　２−１で編集された被写体の画像が印刷手段で印刷されたシールシー　　　トを、撮影装置３１及び編集用端末１７２−１の外側において取り出　　　し可能な位置に配置されていることを読み取ることができる。
（６）「撮影、および撮影した画像の編集を行わせ、編集済みの前記画像が印刷されたシールシートを前記ユーザに提供する画像印刷装置を制御するコンピュータ」（記載事項６）なる記載及び「画像データ（上述したキープ画像データ）は、撮影処理が終了されたとき、ケーブル１７３−１乃至１７３−３を介して編集用端末１７２−１乃至１７２−３に適宜転送される。」（記載事項１８）なる記載がなされている。
　これらの記載及び図２２乃至２４図を参照すると、
ア．編集用端末１７２−１はプリンタ８９（以下「印刷装置１」という。）　　に、編集用端末１７２−２は何らかの印刷装置（以下「印刷装置２」と　　いう。）に接続されていることは明らかである。
イ．ＣＰＵ８１（コンピュータ）は、編集用端末１７２−１及び編集用端末　　１７２−２に対して、撮影装置３１のＣＣＤカメラ３２で撮影した被写　　体の画像を、編集用端末１７２−１と、編集用端末１７２−２のいずれ　　かに転送するとともに、上記編集用端末１７２−１に臨む編集空間でユ　　ーザーに編集入力を実行させる編集処理（以下「第１編集処理」という　　。）と、上記編集用端末１７２−２に臨む編集空間でユーザーに編集入　　力を実行させる編集処理（以下「第２編集処理」という。）を処理し、　　上記第１編集処理で編集された被写体の画像を印刷装置１に転送し、上　　記第２編集処理で編集された被写体の画像を印刷手段２に転送するよう　　に制御することは明らかである。
　
　したがって、上記記載事項１乃至１９、及び参照している図面に基づけば、引用刊行物１には、
「ユーザーを含む被写体を撮影するＣＣＤカメラ３２を有する撮影装置３１と、上記撮影装置３１に臨む撮影空間とを含む撮影プレイが行われる第１のエリアと、
　ユーザーに対して上記ＣＣＤカメラ３２で撮影された被写体の画像を表示する編集用モニタ１８に表示された被写体の画像に対して編集入力を受け付ける編集用端末１７２−１と、上記編集用端末１７２−１に臨む編集空間とを含む編集プレイが行われる第２のエリアと、
　ユーザーに対して上記ＣＣＤカメラ３２で撮影された被写体の画像を表示する編集用モニタ１８に表示された被写体の画像に対して編集入力を受け付ける編集用端末１７２−２と、上記編集用端末１７２−２に臨む編集空間とを含む編集プレイが行われる第３のエリアと、
　上記第１のエリアでユーザーに撮影を実行させる撮影処理と、上記第２のエリア及び第３のエリアでユーザーに編集入力を実行させる編集処理とを制御するＣＰＵ８１と、
　上記編集処理により編集された被写体の画像を所定のシールシートに印刷する印刷手段１及び印刷手段２と、
　ユーザーが上記印刷手段１で印刷されたシールシートを取り出すためのシール取り出し口２１とを備え、
　上記ＣＰＵ８１は、上記撮影装置３１のＣＣＤカメラ３２で撮影した被写体の画像を、編集用端末１７２−１と、編集用端末１７２−２のいずれかに転送するとともに、上記第２のエリアでユーザーに編集入力を実行させる第１編集処理と、上記第３のエリアでユーザーに編集入力を実行させる第２編集処理とを処理し、第１編集処理で編集された被写体の画像を印刷手段１に転送し、第２編集処理で編集された被写体の画像を印刷手段２に転送するよう制御し、
　上記印刷手段１は、上記第１編集処理で編集された被写体の画像が転送されたときに当該編集された被写体の画像をシールシートに印刷し、上記印刷手段２は、第２編集処理で編集された被写体の画像が転送されたときに当該編集された被写体の画像をシールシートに印刷し、
　上記第２のエリアが、上記撮影装置３１の背面側に位置するように、上記編集用端末１７２−１が配置され、
　上記撮影装置３１に向かって左側の側面が開放可能に構成され、上記第２のエリアは、筐体１１に向って左の側面の上記開放可能に構成された側面と同じ側面に、開放可能に構成されるとともに、筐体１１に向かって右側に第１のエリアから第２のエリアへの入口が設けられ、
　上記シール取り出し口２１は、ユーザーが、上記第１編集処理で編集された被写体の画像が印刷手段で印刷されたシールシートを、上記開放された側面側と同一側である出入り可能な側面側である、上記撮影装置３１および上記編集用端末１７２−１の外側において取り出し可能な位置に配置されていることを特徴とする画像印刷装置。」の発明（以下「引用発明」という。）が記載されている。
　
４．対比
　本願発明と引用発明とを比較すると、引用発明の「ユーザー」は本願発明の「使用者」に相当し、以下同様に、「ＣＣＤカメラ３２」は「カメラ」に、「撮影装置３１」は「撮影プレイ提供装置」に、「撮影空間」は「撮影用の空間」に、「撮影プレイが行われる第１のエリア」は「撮影プレイエリア」に、「編集プレイが行われる第２のエリア」は「第１編集プレイエリア」に、「編集プレイが行われる第３のエリア」は「第２編集プレイエリア」に、「被写体の画像」は「撮影画像」に、「編集入力」は「落書き画像」に、「受け付ける」は「入力させる」に、「編集用端末１７２−１」は「第１編集プレイ提供装置」に、「編集用端末１７２−２」は「第２編集プレイ提供装置」に、「シール取り出し口２１」は「取出口」に、「ＣＰＵ８１」は「制御手段」に、「上記第２のエリア及び第３のエリア」は「上記各編集プレイエリア」に、「編集手段により編集された前記被写体の画像」は「上記撮影画像と上記落書き画像との合成画像」に、「筐体１１」は「撮影筐体」に、「左の側面」は「左右いずれか一方の側面」に、それぞれ相当する。
引用発明の「編集用モニタ１８」は本願発明の「第１表示手段」又は「第２表示手段」に相当する。また、引用発明の「印刷手段１」、「印刷手段２」は、本願発明の「印刷手段」に相当する。
　引用発明の「シールシート」は本願発明の「印刷手段で印刷された印刷媒体」又は「印刷媒体」に相当する。
　引用発明の「上記撮影装置３１に向かって左側の側面が開放可能に構成され」は、本願発明の「使用者が上記撮影用の空間に出入り可能とするために、撮影プレイ提供装置に向かって左右いずれか一方の側面が開放可能に構成され」とは、撮影プレイ提供装置に向かって左右いずれか一方の側面が開放可能に構成されという点で一致する。
　引用発明の「撮影装置３１に向かって左側の側面が開放可能に構成され」は本願発明の「使用者が上記撮影用の空間に出入り可能とするために、上記撮影プレイ提供装置に向かって左右いずれか一方の側面が開放可能に構成され」とは、撮影プレイ提供装置に向かって左右いずれか一方の側面が開放可能という点で一致する。
　そして、引用発明の対象である「画像印刷装置」は、本願発明の対象である「写真プリント提供装置」に相当する。
　
　したがって、両者は、
「使用者を含む被写体を撮影するカメラを有する撮影プレイ提供装置と、上記撮影プレイ提供装置に臨む撮影用の空間とを含む撮影プレイエリアと、
　使用者に対して上記カメラで撮影された撮影画像を表示する第１表示手段に表示された撮影画像に対して落書き画像を入力させる第１編集プレイ提供装置と、上記第１編集プレイ提供装置に臨む編集作業用の空間とを含む第１編集プレイエリアと、
　使用者に対して上記カメラで撮影された撮影画像を表示する第２表示手段に表示された撮影画像に対して落書き画像を入力させる第２編集プレイ提供装置と、上記第２編集プレイ提供装置に臨む編集作業用の空間とを含む第２編集プレイエリアと、
　上記撮影プレイエリアで使用者に撮影を実行させる撮影処理と、上記各編集プレイエリアで使用者に落書き入力を実行させる編集処理とを制御する制御手段と、
　上記撮影画像と上記落書き画像との合成画像を所定の印刷媒体に印刷する印刷手段１及び印刷手段２と、
　使用者が上記印刷手段１で印刷された印刷媒体を取り出すための取出口とを備え、
　上記制御手段は、上記撮影プレイ提供装置のカメラで撮影された撮影画像を、第１編集プレイ提供装置と、第２編集プレイ提供装置のいずれかに転送するとともに、上記第１編集プレイエリアで使用者に落書き入力を実行させる第１編集処理と、上記第２編集プレイエリアで使用者に落書き入力を実行させる第２編集処理とを処理し、上記第１編集処理で作成された合成画像を印刷手段１に転送し、第２編集処理で作成された合成画像を印刷手段２に転送するよう制御し、
　上記印刷手段１は、上記第１編集処理で作成された合成画像を印刷媒体に印刷し、上記印刷手段２は、第２編集処理で作成された合成画像を印刷媒体に印刷し、
　第１編集プレイエリアが、上記撮影プレイ提供装置の背面側に位置するように、上記第１編集プレイ提供装置が配置され、
　上記撮影プレイ提供装置に向かって左右いずれか一方の側面が開放可能に構成され、上記第１編集プレイエリアは、撮影筐体に向って左右いずれか一方の側面のうち上記開放可能に構成された側面と同じ側面に、開放可能に構成され、
　上記取出口は、使用者が、上記第１編集処理で作成された合成画像が印刷手段１で印刷された印刷媒体を、上記開放された側面側と同一側である、上記撮影プレイ提供装置および上記第１編集プレイ提供装置の外側において取り出し可能な位置に配置されていることを特徴とする写真プリント提供装置」の点で一致し、以下の点で相違する。
[相違点１]
　第１編集処理と第２編集処理との処理に関し、本願発明は、それぞれ独立して並行に処理するのに対して、引用発明は、そのように処理するとは規定されていない点。
[相違点２]
　印刷装置１及び印刷装置２に関し、本願発明は、
「上記各編集プレイエリアで使用者に落書き入力を実行させる編集処理とを制御する制御手段と、上記撮影画像と上記落書き画像との合成画像を所定の印刷媒体に印刷する印刷手段」
「使用者が上記印刷手段で印刷された印刷媒体を取り出すための取出口とを備え」
「上記第１編集処理で作成された合成画像および第２編集処理で作成された合成画像をそれぞれ印刷手段に転送する」
「上記印刷手段は、上記第１編集処理で作成された合成画像が転送されたときに当該合成画像を印刷媒体に印刷し、第２編集処理で作成された合成画像が転送されたときに当該合成画像を印刷媒体に印刷し」
「上記取出口は、使用者が、上記第１編集処理で作成された合成画像が印刷手段で印刷された印刷媒体、または、第２編集処理で作成された合成画像が印刷手段で印刷された印刷媒体を、上記開放された側面側と同一側である、上記撮影プレイ提供装置、上記第１編集プレイ提供装置、および上記第２編集プレイ提供装置の外側において取り出し可能な位置に配置されている」
と規定されているように、要は、印刷装置１及び印刷装置２が兼用されているのに対して、引用発明は、印刷装置１及び印刷装置２を兼用する点について規定されていない点。
[相違点３]
　撮影プレイ提供装置の背面側に位置する第１編集プレイエリアと、第２編集プレイエリアとの配置に関し、本願発明は、第１編集プレイエリアと第２編集プレイエリアは、撮影プレイエリアを挟むよう一列に配置されて本装置全体の設置領域が長方形状とされるとともに、上記第２編集プレイエリアが、上記撮影プレイエリアのバック側に位置するように、上記第２編集プレイ提供装置が配置されるのに対して、引用発明は、第２編集プレイエリアの具体的な配置位置について規定されていない点。
[相違点４]
　第１編集プレイエリアが、本願発明は、撮影筐体に向かって左右いずれか一方のうち開放可能に構成された側面と同じ側面が使用者を編集作業用の空間に出入り可能とするために開放可能に構成されるのに対して、引用発明は、上記同じ側面が開放可能に構成されるとともに、撮影筐体に向かって右側に第１のエリアから第２のエリアへの入口が設けられている点。
[相違点５]
　第２編集プレイエリアが、本願発明は、撮影筐体に向かって左右いずれか一方のうち開放可能に構成された側面と同じ側面が使用者を編集作業用の空間に出入り可能とするために開放可能に構成されるのに対して、引用発明は、第２編集プレイエリアと撮影筐体との関係が規定されていない点。
[相違点６]
　取出口と第２編集プレイ提供装置との位置関係について、本願発明は、取出口が、第２編集プレイ提供装置の外側において取り出し可能な位置に配置されているのに対して、引用発明は、取出口と第２編集プレイ提供装置との位置関係が規定されていない点。
　
５．当審の判断
　上記相違点について検討する。
（１）相違点１
　ある使用者の撮影画像に係る第１編集処理と別の使用者の撮影画像に係る第２編集処理とを、それぞれ独立して並行に処理することは、写真プリント装置を使用する両使用者の利便性を考慮すれば、当然考慮すべき処理形態であるので、相違点１に係る発明特定事項は格別なものとはいえない。
　
（２）相違点２
　第１編集プレイ提供装置及び第２編集プレイ提供装置のそれぞれに対して、プリンタを割り当てるか、本願発明のように、第１編集プレイ提供装置及び第２編集プレイ提供装置に対して共通する印刷手段（プリンタ）を割り当てるかは、プリンタの使い勝手、プリンタの設置スペース等を考慮して、当業者が適宜になし得ることである。
　したがって、相違点２に係る発明特定事項は格別なものとはいえない。
　
（３）相違点３
　引用刊行物１には、撮影プレイ提供装置に対して第１編集プレイエリア及び第２編集プレイエリアを設けるものにおいて、上記撮影プレイ提供装置の背面側に位置するように、上記第１編集プレイ提供装置を配置することが記載されているが、第２編集プレイエリアの配置位置には具体的に記載されていない。
　しかし、引用発明において、第２編集プレイ提供装置をどこに配置するかを考慮する際、写真プリント装置全体がコンパクトに収まる点、他の使用者と干渉せずに印刷装置へアクセスでき、しかも編集プレイ後、印刷装置への移動距離が少なくて済む点等を考慮すれば、引用刊行物１の図２３において、筐体１１の後ろ、すなわち使用者の後ろ（図面では下）に配置される背景パネルの直ぐ後ろ（背景パネル設置されていない場合には、撮影台の直ぐ後ろ）、すなわち本願発明でいう「撮影装置のバック側に」第２編集プレイ提供装置を配置することが好ましいことは、当業者が引用刊行物１に記載された発明に基づいて容易に想到し得る事項である。
　そして、係る場合には、第１編集プレイエリアと第２編集プレイエリアは、撮影プレイエリアを挟むよう一列に配置されて本装置全体の設置領域が長方形状とされるとともに、上記第２編集プレイエリアが、上記撮影プレイエリアのバック側に位置することは自明であり格別なものではない。
　したがって、相違点３に係る本願発明の発明特定事項は、当業者が引用刊行物１に記載された発明に基づいて容易に想到し得たものである。
　
（４）相違点４
　引用刊行物１の図２３に記載されているように、撮影筐体に向かって左右いずれか一方のうち開放可能に構成された側面と同じ側面から、使用者が、第１編集プレイエリアの外で出ることができるは勿論であり、また、上記同じ側面から第１編集プレイエリアの編集作業用の空間へ使用者が入ることができるも明らかであるので、本願発明において、「使用者を編集作業用の空間に出入り可能とするため」という事項は格別なものとはいえない。
　したがって、相違点４に係る本願発明の発明特定事項は、格別なものとはいえない。　
　
（５）相違点５
　第２編集プレイ提供装置を撮影装置のバック側に配置することは、上記「（４）相違点４」で検討したように引用刊行物１の記載された発明から容易であり、係る場合、撮影筐体に向って左右いずれか一方の側面のうち開放可能に構成された側面と同じ側面が、使用者を編集作業用の空間に出入り可能とするために開放可能に構成されるのは、引用刊行物１の図２３等の記載から明らかである。
　したがって、相違点５に係る本願発明の発明特定事項は、当業者が引用刊行物１に記載された発明に基づいて容易に想到し得たものである。
　
（６）相違点６
　第２編集プレイ提供装置を撮影装置のバック側に配置するは、同じく上記「（４）相違点４」で検討したように引用刊行物１の記載された発明から容易であり、係る場合、取出口が、第２編集プレイ提供装置の外側において取り出し可能な位置に配置されることも自明であり格別なものではない。
　したがって、相違点６に係る本願発明の発明特定事項は、当業者が引用刊行物１に記載された発明に基づいて容易に想到し得たものである。
　
　そして、本願発明の効果は、引用刊行物１の記載から当業者が予測し得る範囲内のものである。
　　　
　よって、本願発明は、引用刊行物１に記載された発明に基づいて当業者が容易に想到し得たものである。
　
６．むすび
　以上のとおり、本願発明は、引用刊行物１に記載された発明に基づいて当業者が容易に発明することができたものであるから、特許法第２９条第２項の規定により特許を受けることができない。